(57)【要約】【課題】撮像ユニットの受光面の清掃作業を効率良く行うことができるレンズ交換式の電子カメラを提供すること。【解決手段】レンズ交換式一眼レフ電子カメラ１は、ＣＣＤ４１を有する撮像ユニット４と、撮像ユニット４を開口部２１へ接近した位置へ移動させる撮像ユニット変位手段とを備えるとともに、モード設定手段により、撮影可能な撮影モードと、受光面４５を清掃するためのクリーニングモードとを選択可能になっている。受光面４５上のゴミ等を除去する清掃作業を行う場合には、クリーニングモードを選択し、レリーズボタンを押す。これにより、メインミラー２２が撮影光路から退避した後、撮像ユニット４が開口部２１へ近づくように移動するとともに、ＬＥＤ５９が受光面４５を照明する。レリーズボタンが再度押されると、撮像ユニット４が基準位置へ復帰して元の状態に戻る。【選択図】図２
2004040652.tif 000002
【特許請求の範囲】
【請求項１】
カメラボディと、該カメラボディに対し着脱自在な撮影レンズとを有するレンズ交換式の電子カメラであって、
前記カメラボディ内に設置され、撮像素子を有する撮像ユニットと、
前記撮像ユニットを、撮影可能な第１の位置と、前記カメラボディに形成された前記撮影レンズを装着する開口部に接近した第２の位置との間で変位させる撮像ユニット変位手段と、
撮影可能な撮影モードと、前記撮像ユニットの受光面を清掃するためのクリーニングモードとに設定可能なモード設定手段とを備え、
前記クリーニングモードに設定されているとき、前記撮像ユニットを前記撮像ユニット変位手段の作動により前記第２の位置へ変位させ得るよう構成されていることを特徴とする電子カメラ。
【請求項２】
前記撮像ユニット変位手段は、前記撮像ユニットを前記受光面の法線方向に沿って移動させる請求項１に記載の電子カメラ。
【請求項３】
前記撮像ユニット変位手段は、前記撮像ユニットを移動させる送りねじと、該送りねじを回転させるモータとを有する請求項１または２に記載の電子カメラ。
【請求項４】
撮影の際、前記撮像ユニットをその受光面の法線方向に沿って移動させることにより、合焦状態を得る請求項１ないし３のいずれかに記載の電子カメラ。
【請求項５】
合焦状態を得るための前記撮像ユニットの移動を前記撮像ユニット変位手段の作動により行う請求項４に記載の電子カメラ。
【請求項６】
前記クリーニングモードに設定されているとき、レリーズボタンが押されるのを待って前記撮像ユニットを前記第２の位置へ変位させる請求項１ないし５のいずれかに記載の電子カメラ。
【請求項７】
前記撮像ユニットが前記第２の位置にある状態でレリーズボタンが押されたとき、前記撮像ユニットを前記第１の位置へ復帰させる請求項１ないし６のいずれかに記載の電子カメラ。
【請求項８】
前記撮影レンズが前記カメラボディに装着されたのを検出するレンズ装着検出手段を有し、
前記クリーニングモードに設定されているときに前記撮影レンズが前記カメラボディに装着されたのを検出したら、前記クリーニングモードを解除する請求項１ないし７のいずれかに記載の電子カメラ。
【請求項９】
前記撮影レンズからの光束を反射する反射位置と、前記撮影レンズからの光束の光路から退避した退避位置とに回動可能に設置されたミラーを有し、
前記撮像ユニットを前記第２の位置へ変位させるのに先立って、前記ミラーを前記退避位置に退避させる請求項１ないし８のいずれかに記載の電子カメラ。
【請求項１０】
前記第２の位置は、前記撮像ユニットが前記第２の位置にあるときに前記撮影レンズを前記カメラボディに装着しても前記撮像ユニットが前記撮影レンズに接触しないような位置である請求項１ないし９のいずれかに記載の電子カメラ。
【請求項１１】
前記撮影レンズが前記カメラボディに装着されているときは、クリーニングモードか否かにかかわらず、前記撮像ユニットが前記第２の位置に来ない請求項１ないし１０のいずれかに記載の電子カメラ。
【請求項１２】
前記第２の位置にある前記撮像ユニットの受光面を照明する照明手段を有する請求項１ないし１１のいずれかに記載の電子カメラ。
【請求項１３】
前記照明手段は、前記撮像ユニットの撮像領域より外側に設置されており、前記照明手段から前記受光面への投光方向は、前記受光面に対し傾斜している請求項１２に記載の電子カメラ。
【発明の詳細な説明】
【０００１】
【発明の属する技術分野】
本発明は、レンズ交換式の電子カメラに関する。
【０００２】
【従来の技術】
静止画像または動画像を電子的に保存する電子カメラ（デジタルカメラ）は、撮影レンズにより形成された被写体像を電気信号（画素信号）に変換する撮像ユニットを有している。撮像ユニットは、例えば、ＣＣＤ、赤外カットフィルタおよびローパスフィルタ等からなる。
【０００３】
レンズ交換式一眼レフ電子カメラのようなレンズ交換式の電子カメラでは、レンズ交換時にゴミ、ホコリ等（以下、総称して「ゴミ」と言う）がカメラボディ内部に侵入し、このゴミが撮像ユニットの表面（受光面）に付着することがある。撮像ユニットの受光面にゴミが付着した場合、ごく小さなゴミ（例えば１０〜２０μｍ程度）でも撮影画像に写ってしまい、画像不良を生じるので、例えばブロワ（送風器）などを用いて受光面を清掃し、付着したゴミを除去する必要がある。
【０００４】
しかしながら、撮像ユニットは、カメラボディの奥まったところに設置されているため、その受光面の清掃作業がしづらかった。また、カメラボディの奥まったところにある撮像ユニットの受光面は、外部の光が届かずに、暗く見えにくくなっているため、撮像ユニットの受光面のどこにゴミが付着しているのか、すなわち、どの部分を清掃してよいかが分かりづらく、また、ゴミが除去できたかどうかも分かりづらかった。このようなことから、撮像ユニットの受光面の清掃作業を効率良く行うことができなかった。
【０００５】
【発明が解決しようとする課題】
本発明の目的は、撮像ユニットの受光面の清掃作業を効率良く行うことができるレンズ交換式の電子カメラを提供することにある。
【０００６】
【課題を解決するための手段】
このような目的は、下記（１）〜（１３）の本発明により達成される。
【０００７】
（１）　カメラボディと、該カメラボディに対し着脱自在な撮影レンズとを有するレンズ交換式の電子カメラであって、
前記カメラボディ内に設置され、撮像素子を有する撮像ユニットと、
前記撮像ユニットを、撮影可能な第１の位置と、前記カメラボディに形成された前記撮影レンズを装着する開口部に接近した第２の位置との間で変位させる撮像ユニット変位手段と、
撮影可能な撮影モードと、前記撮像ユニットの受光面を清掃するためのクリーニングモードとに設定可能なモード設定手段とを備え、
前記クリーニングモードに設定されているとき、前記撮像ユニットを前記撮像ユニット変位手段の作動により前記第２の位置へ変位させ得るよう構成されていることを特徴とする電子カメラ。
【０００８】
これにより、撮像ユニットの受光面を清掃する際に、撮像ユニットをカメラボディの開口部に近づけることができるので、作業がし易いとともに、受光面上のゴミが見易くなることから、清掃作業を効率良く、かつ効果的に行うことができる。
【０００９】
（２）　前記撮像ユニット変位手段は、前記撮像ユニットを前記受光面の法線方向に沿って移動させる上記（１）に記載の電子カメラ。
これにより、撮像ユニット変位手段の構成の簡素化が図れる。
【００１０】
（３）　前記撮像ユニット変位手段は、前記撮像ユニットを移動させる送りねじと、該送りねじを回転させるモータとを有する上記（１）または（２）に記載の電子カメラ。
これにより、撮像ユニット変位手段の構成の簡素化が図れる。
【００１１】
（４）　撮影の際、前記撮像ユニットをその受光面の法線方向に沿って移動させることにより、合焦状態を得る上記（１）ないし（３）のいずれかに記載の電子カメラ。
【００１２】
これにより、フォーカシングレンズを移動させる機構が不要となり、構造の簡素化が図れる。
【００１３】
（５）　合焦状態を得るための前記撮像ユニットの移動を前記撮像ユニット変位手段の作動により行う上記（４）に記載の電子カメラ。
【００１４】
これにより、フォーカシングレンズを移動させる機構が不要となり、構造の簡素化が図れる。
【００１５】
（６）　前記クリーニングモードに設定されているとき、レリーズボタンが押されるのを待って前記撮像ユニットを前記第２の位置へ変位させる上記（１）ないし（５）のいずれかに記載の電子カメラ。
【００１６】
これにより、誤操作をより確実に防止することができるとともに、レリーズボタンを押し続けることなく撮像ユニットが第２の位置へ変位した状態を維持することができる。
【００１７】
（７）　前記撮像ユニットが前記第２の位置にある状態でレリーズボタンが押されたとき、前記撮像ユニットを前記第１の位置へ復帰させる上記（１）ないし（６）のいずれかに記載の電子カメラ。
【００１８】
これにより、誤操作をより確実に防止することができるとともに、簡単な操作で撮像ユニットを第１の位置へ復帰させて元の状態に戻ることができる。
【００１９】
（８）　前記撮影レンズが前記カメラボディに装着されたのを検出するレンズ装着検出手段を有し、
前記クリーニングモードに設定されているときに前記撮影レンズが前記カメラボディに装着されたのを検出したら、前記クリーニングモードを解除する上記（１）ないし（７）のいずれかに記載の電子カメラ。
【００２０】
これにより、不用意にクリーニングモードが解除されることによる弊害をより確実に防止することができるとともに、清掃後に迅速に撮影動作に移ることができ使い勝手が向上する。
【００２１】
（９）　前記撮影レンズからの光束を反射する反射位置と、前記撮影レンズからの光束の光路から退避した退避位置とに回動可能に設置されたミラーを有し、前記撮像ユニットを前記第２の位置へ変位させるのに先立って、前記ミラーを前記退避位置に退避させる上記（１）ないし（８）のいずれかに記載の電子カメラ。
【００２２】
これにより、撮影レンズからの光束を反射し得るミラーを有する場合であっても、撮像ユニットがミラーと干渉することなく第２の位置へ移動することができる。
【００２３】
（１０）　前記第２の位置は、前記撮像ユニットが前記第２の位置にあるときに前記撮影レンズを前記カメラボディに装着しても前記撮像ユニットが前記撮影レンズに接触しないような位置である上記（１）ないし（９）のいずれかに記載の電子カメラ。
【００２４】
これにより、撮像ユニットと撮影レンズとが干渉するのを確実に防止することができる。
【００２５】
（１１）　前記撮影レンズが前記カメラボディに装着されているときは、クリーニングモードか否かにかかわらず、前記撮像ユニットが前記第２の位置に来ない上記（１）ないし（１０）のいずれかに記載の電子カメラ。
これにより、誤操作による故障などをより確実に防止することができる。
【００２６】
（１２）　前記第２の位置にある前記撮像ユニットの受光面を照明する照明手段を有する上記（１）ないし（１１）のいずれかに記載の電子カメラ。
これにより、清掃作業時に受光面上のゴミをより見易くすることができる。
【００２７】
（１３）　前記照明手段は、前記撮像ユニットの撮像領域より外側に設置されており、前記照明手段から前記受光面への投光方向は、前記受光面に対し傾斜している上記（１２）に記載の電子カメラ。
これにより、清掃作業時に受光面上のゴミをより見易くすることができる。
【００２８】
【発明の実施の形態】
以下、本発明の電子カメラを添付図面に示す好適な実施形態に基づいて詳細に説明する。
【００２９】
図１および図２は、それぞれ、本発明の電子カメラの実施形態における内部構成を示す断面側面図（撮影レンズは省略）、図３および図４は、それぞれ、本発明の電子カメラの実施形態における撮像ユニットおよび撮像ユニット変位手段を示す平面図および正面図、図５は、本発明の電子カメラの実施形態における内部構成を示すブロック図である。
【００３０】
これらの図に示す電子カメラ１は、カメラボディ２と、このカメラボディ２に対し着脱自在な撮影レンズ３とで構成されるレンズ交換式一眼レフ電子カメラである。撮影レンズ３は、撮影レンズ系（図示せず）と、絞り（図示せず）と、レンズＣＰＵ３１と、フォーカシングレンズ３２とを有している（図５参照）。
【００３１】
図１に示すように、カメラボディ２は、主な光学構成として、ＣＣＤ（撮像素子）４１を有する撮像ユニット４と、撮像ユニット４の受光面４５側に設置されたメインミラー２２と、焦点板２６と、ペンタプリズム２７と、アイピースレンズ２８とをそれぞれ内蔵している。
【００３２】
カメラボディ２の正面には、撮影レンズ３を装着する開口部２１が形成されている。開口部２１の周囲には、撮影レンズ３を着脱自在に取り付けるためのマウント部２４が設けられている。
【００３３】
撮像ユニット４は、ＣＣＤ４１と、ＣＣＤ４１の正面側（受光面側）に設置された赤外カットフィルター（赤外線吸収フィルター）４３と、赤外カットフィルター４３の正面側に設置されたローパスフィルター４４とで構成されており、ローパスフィルター４４の外表面が撮像ユニット４の受光面４５になっている。なお、ＣＣＤ４１と赤外カットフィルター４３との間、および、赤外カットフィルター４３とローパスフィルター４４との間は、密着していても、隙間が空いていてもよいが、隙間が空いている場合には、その隙間にゴミ等が入らないように、その周囲が密閉される。
【００３４】
本実施形態では、ＣＣＤ４１は、プログレッシブスキャン方式のＣＣＤである。これにより、電子カメラ１では、遮光用のシャッターが不要であるので、省略されている。このＣＣＤ４１は、後述する焦点板２６と光学的に等価な位置にある。
【００３５】
赤外カットフィルター４３は、撮影レンズ３からの被写体光の中から赤外波長成分を除去するものである。赤外カットフィルター４３を設置したことにより、撮像ユニット４が人間の目に見えない赤外光を受光してしまうのを防止することができる。
【００３６】
ローパスフィルター４４は、被写体光の空間周波数の中から、ＣＣＤ４１の画素間隔で決まる標本化空間周波数に近い空間周波数成分を低減させるものである。ローパスフィルター４４を設置したことにより、被写体の画像データに偽色（モアレ）が生じるのを防止することができる。
【００３７】
このような撮像ユニット４の受光面４５は、マウント部２４に装着された撮影レンズ３の光軸Ａｘに対し垂直になっているとともに、光軸Ａｘは、撮像ユニット４の撮像領域の中心に合致するようになっている。
【００３８】
また、撮像ユニット４は、撮像ユニット支持部２３の正面側に固定されており、この撮像ユニット支持部２３により支持されている。撮像ユニット支持部２３には、マウント部２４に装着された撮影レンズ３の光軸Ａｘ方向に沿って延びるように設置されたガイドシャフト２９が挿入する凹部２３２を有する係合部２３１が突出形成されている（図４参照）。ガイドシャフト２９は、後述する送りねじ軸７１との間に撮像ユニット４を挟むように設置されており、撮像ユニット４を光軸Ａｘ方向に案内する。
【００３９】
電子カメラ１は、撮像ユニット４をマウント部２４に装着された撮影レンズ３の光軸Ａｘ方向に沿って変位（移動）させる撮像ユニット変位手段７を有している。以下、この撮像ユニット変位手段７について説明する。
【００４０】
図３および図４に示すように、撮像ユニット変位手段７は、光軸Ａｘ方向に沿って延びるように位置する回転可能に支持された送りねじ軸（リードスクリュー）７１と、パルスモータ（ステッピングモータ）で構成されるＡＦモータ７２と、ＡＦモータ７２の出力軸に固定されたピニオンギア７３と、送りねじ軸７１に固定されるとともにピニオンギア７３と噛み合う従動ギア７４と、送りねじ軸７１を挿通する挿通孔７５１が形成された筒状の移動体７５とで構成されている。
【００４１】
移動体７５の挿通孔７５１には、雌ねじが形成されており、この雌ねじは、送りねじ軸７１に形成された雄ねじと螺合している。この移動体７５は、撮像ユニット支持部２３に対し固着または一体化されている。
【００４２】
このような構成により、ＡＦモータ７２の出力軸が所定方向に回転すると、その駆動力がピニオンギア７３および従動ギア７４を介して送りねじ軸７１に伝達され、送りねじ軸７１が所定方向に回転する。送りねじ軸７１が所定方向に回転すると、移動体７５が送りねじ軸７１に沿って図３中の下方向（カメラ正面側）に移動し、移動体７５に伴って撮像ユニット支持部２３および撮像ユニット４も図３中の下方向に移動する。そして、ＡＦモータ７２の出力軸が前記所定方向と逆方向に回転すると、移動体７５、撮像ユニット支持部２３および撮像ユニット４は、図３中の上方向（カメラ背面側）に移動する。
【００４３】
このようにして、撮像ユニット変位手段７は、撮像ユニット４を光軸Ａｘ方向、すなわち、受光面４５の法線方向に沿って、図１に示す第１の位置と、図２に示す第２の位置との間で変位（移動）させることができる。
【００４４】
図１に示す撮像ユニット４の第１の位置は、撮像ユニット４がカメラ背面に最も接近した位置であり、基準となる位置である。撮影は、撮像ユニット４がこの第１の位置またはその近傍に位置した状態で行う。
【００４５】
図２に示す撮像ユニット４の第２の位置は、撮像ユニット４がカメラ正面、すなわち開口部２１に最も接近した位置である。電子カメラ１では、後述するクリーニングモードが選択されているとき、撮像ユニット変位手段７を作動させて、撮像ユニット４をこの第２の位置へ変位させる（せり出す）ことができる。
【００４６】
ＡＦモータ７２は、後述するメインＣＰＵ５０に接続されており、その回転数（回転角度）は、メインＣＰＵ５０により制御される。その制御は、駆動パルス数の監視によってなされるオープンループ制御であり、メインＣＰＵ５０は、撮像ユニット４の位置を、基準の位置となる第１の位置からの駆動パルス数によって把握している。
【００４７】
本発明では、撮影レンズ３をカメラボディ２から取り外し、撮像ユニット４の受光面４５上のゴミ、ホコリ、汚れ等（以下、総称して「ゴミ」と言う）を除去する清掃作業を行う場合には、撮像ユニット４を第２の位置へ変位させた状態で行う。これにより、次のような利点がある。
【００４８】
▲１▼受光面４５が開口部２１の近くに位置することにより、清掃用具が受光面４５に届き易くなるので、受光面４５の清掃作業を容易に行うことができる。なお、受光面４５を清掃する清掃用具は、いかなるものを用いてもよく、例えば、ゴミを吹き飛ばすブロワ（送風器）や、ゴミを吸い取る吸引器や、ゴミをふき取るワイパなどを用いることができる。
【００４９】
▲２▼撮像ユニット４がカメラボディ２内の奥まった位置から開口部２１に近いところにせり出すことにより、外部の光（室内光）が受光面４５に届き易くなって明るくなり、その結果、受光面４５に付着したゴミを見易くなる。これにより、ゴミがごく小さい場合であっても、ゴミの付着個所すなわち清掃すべき個所を発見し易く、また、ゴミが除去できたかどうかも確認し易い。
【００５０】
このようなことから、本発明では、受光面４５の清掃作業を効率良く迅速に、かつ、ゴミを残存させることなく効果的に行うことができる。
【００５１】
なお、撮像ユニット４を第２の位置へせり出した状態にあるときでも、撮影レンズ３をカメラボディ２に装着した場合に、撮像ユニット４に撮影レンズ３が接触しないようになっているのが好ましい。
【００５２】
また、本実施形態の電子カメラ１には、第２の位置にある撮像ユニット４の受光面４５を照明する照明手段として、照明光を発生するＬＥＤ（発光ダイオード）５９が設置されており、受光面４５を清掃する際には、このＬＥＤ５９を点灯して受光面４５を照明する。これにより、外光による受光面の照明ができない場合や外光が暗い場合でも対応できるととともに、受光面４５に付着したゴミをより見易くすることができる。
【００５３】
受光面４５へ投光する照明光の色は、いかなる色であってもよいが、白色光であるのが好ましい。本実施形態では、ＬＥＤ５９は、白色ＬＥＤであり、白色光を投光する。これにより、赤色光、青色光、緑色光等の場合よりもさらにゴミを見易くすることができる。
【００５４】
また、ＬＥＤ５９は、第２の位置にある撮像ユニット４の下方に設置されている。ＬＥＤ５９をこのような位置に設置した場合は、焦点板２６や、メインミラー２２への動力伝達機構などと干渉することがなく、容易に設置スペースを確保することができる。
【００５５】
また、本実施形態では、ＬＥＤ５９は、撮像ユニット４の撮像領域（撮像領域上の空間）より下側（外側）に位置しており、これにより、ＬＥＤ５９から受光面４５への投光方向は、受光面４５に対し垂直ではなく、受光面４５の法線に対して４５度よりも大きく傾斜している（受光面４５側に倒されている）。これにより、ＬＥＤ５９からの照明光がゴミにキラキラと反射したり、ゴミの影が長く現れたりするので、ゴミをさらに見易くすることができる。
【００５６】
なお、受光面４５を照明する照明手段は、光源と、レンズ、ミラー、プリズムなどの光学素子とを有し、光源からの照明光をこれらの光学素子を介して受光面４５へ投光するようなものでもよい。また、光源としては、ＬＥＤに限らず、ハロゲンランプ等であってもよいが、大きさ、内蔵バッテリの消費電力等を考慮すると、ＬＥＤが望ましい。また、照明手段（光源）の個数は、１個でも２個以上でもよい。
【００５７】
図１に示すように、第１の位置にある撮像ユニット４の正面側には、メインミラー２２が設けられている。メインミラー２２は、その上端部付近に設けられた回転軸２２１を中心として回動可能に設置されており、図１に示す反射位置と、図２に示す退避位置との間で回動する。
【００５８】
図１に示す観察状態では、撮影レンズ３を透過してカメラボディ２内に入射した光束（被写体光）は、その大部分がメインミラー２２において反射し、焦点板２６に入射する。メインミラー２２からの反射光は、焦点板２６上において一旦結像した後、ペンタプリズム２７に入射する。そして、ペンタプリズム２７で反射された光束は、アイピースレンズ２８を通って射出する。これにより、使用者は、アイピースを介して撮影レンズ３による焦点板２６上の結像状態を観察することができる。
【００５９】
また、メインミラー２２の一部は、ハーフミラーとなっており、撮影レンズ３からの光束の一部は、メインミラー２２を透過し、メインミラー２２の背面側に設けられたサブミラー２５により下方に反射され、後述するＡＦセンサ５１に入射する。
【００６０】
これに対し、図２に示す状態では、メインミラー２２は、撮影レンズ３からの光束の光路から退避した状態になっている。露光時には、メインミラー２２をこの退避位置へ移動させることにより、撮影レンズ３からの光束が撮像ユニット４へ入射する。
【００６１】
また、撮像ユニット４を第２の位置へ移動させる際には、これに先立って、メインミラー２２を退避位置に退避させる。これにより、撮像ユニット４は、メインミラー２２と干渉することなく、第２の位置へ移動することができる。
【００６２】
図５に示すように、カメラボディ２内には、さらに、メインＣＰＵ（制御部）５０と、ＡＦセンサ５１と、測光センサ５２と、ＤＳＰ（Ｄｉｇｉｔａｌ　Ｓｉｇｎａｌ　Ｐｒｏｃｅｓｓｏｒ）５４と、測光スイッチ５５と、レリーズスイッチ５６と、モードスイッチ５７と、ミラーモータ５８と、モータドライバ６０とがそれぞれ設置されている。
【００６３】
メインＣＰＵ５０は、カメラボディ２および撮影レンズ３を統括的に制御するものであり、例えば、オートフォーカス（ＡＦ）制御、撮影制御、各種操作スイッチの操作に基づく各種動作制御等を行う。
【００６４】
メインＣＰＵ５０は、レンズマウント部に設けられた接点端子を介して撮影レンズ３内のレンズＣＰＵ３１と接続され、レンズ固有のデータや撮影レンズ３の状態あるいはカメラ側の状態等の各種情報通信を行うようになっている。これにより、メインＣＰＵ５０は、カメラボディ２に撮影レンズ３が装着されているか否かを検出することもできる。
【００６５】
ミラーモータ５８は、モータドライバ６０を介してメインＣＰＵ５０に接続されている。メインミラー２２は、メインＣＰＵ５０の制御に基づいて、ミラーモータ５８の駆動力により、反射位置と退避位置とに回動する。
【００６６】
測光センサ５２には、ペンタプリズム２７からの反射光の一部が入射する。測光センサ５２は、受光量に応じた測光信号をメインＣＰＵ５０へ出力する。メインＣＰＵ５０は、測光センサ５２から入力された測光信号に基づいて、ＣＣＤ４１の電荷蓄積時間（露光時間）および撮影レンズ３側に設けられた絞り（図示せず）の開口量（絞り値）を演算および駆動制御する。
【００６７】
ＡＦセンサ５１は、いわゆる位相差方式の測距センサであり、ＣＣＤ４１の受光面と光学的に等価な位置にＣＣＤセンサを有し、図示しない撮影画面内の所定の焦点検出エリアにおける焦点状態をＡＦビデオ信号としてメインＣＰＵ５０へ出力する。メインＣＰＵ５０は、ＡＦビデオ信号に基づいてデフォーカス量を演算し、そのデフォーカス量と撮影レンズ３の固有のレンズデータとに基づいて、撮像ユニット４の第１の位置（基準位置）から、フォーカシングレンズ３２に入射した光束が結像する位置までの、撮像ユニット３の移動量を演算し、ＡＦモータ７２を駆動制御して、撮像ユニット４を光軸Ａｘ方向に移動させる（ＡＦ駆動制御）。
【００６８】
このように、本実施形態では、撮影の際、撮像ユニット４を光軸Ａｘ方向、すなわち、受光面４５の法線方向に沿って移動させることにより、合焦状態を得る。これにより、フォーカシングレンズ３２を移動させる機構が不要となる結果、構造の簡素化および製造コストの低減が図れる。特に、本実施形態では、合焦状態を得るための撮像ユニット４の移動を、撮像ユニット変位手段７を兼用して行うので、より一層の構造の簡素化および製造コストの低減が図れる。
【００６９】
なお、本発明では、合焦状態を得るための撮像ユニット４の移動機構を撮像ユニット変位手段７と別個に設けてもよい。
【００７０】
ＤＳＰ５４は、ＣＣＤ４１の駆動制御およびＣＣＤ４１からの画素信号から画像データを生成したり、画像データの圧縮処理やＣＦメモリーカード（記録媒体）１００への画像データ記録処理など、画像処理および画像記録の処理動作を統括して制御するプロセッサであり、メインＣＰＵ５０と接続され相互に通信して制御の連携が可能な構成となっている。
【００７１】
測光スイッチ５５は、カメラボディ２に設けられたレリーズボタン（図示せず）が半押しされるとオンする。また、レリーズスイッチ５６は、レリーズボタンが全押しされるとオンする。
【００７２】
モードスイッチ５７は、カメラボディ２に設けられた動作モード設定ボタンまたはダイヤル（図示せず）の操作に応じてオンし、オンする度に、撮影可能な撮影モードと、撮像ユニット４の受光面４５を清掃するためのクリーニングモードとのいずれかに切り替わる。
【００７３】
次に、動作モード設定ボタンの操作により撮影モードが設定されている場合のメインＣＰＵ５０の制御動作について説明する。
【００７４】
メインＣＰＵ５０は、レリーズボタンが半押しされて測光スイッチ５５がオンすると、前述したような測光、露出演算、ＡＦ駆動を行う。さらに、レリーズボタンが全押しされてレリーズスイッチ５６がオンすると、モータドライバ６０を介してミラーモータ５８を駆動して、メインミラー２２およびサブミラー２５を撮影光路外の退避位置へ退避させるとともに、演算した絞り値まで図示しない絞り駆動を制御して絞り込んだ後、ＤＳＰ５４へ本露光動作を指示する一方、演算された露光時間経過後、メインＣＰＵ５０は、絞り込み状態を解除してレリーズ前の状態に復帰する。
【００７５】
一方、ＤＳＰ５４は、メインＣＰＵ５０から本露光指令を受けて、連動してＣＣＤ４１の不要電荷掃き出し制御や演算された露光時間に対応した電荷蓄積制御を行った後、ＣＣＤ４１の蓄積電荷の転送、および画像データ生成処理、ＪＰＥＧなどの公知の画像データ圧縮処理を行う。その後、ＤＳＰ５４は、得られた圧縮画像データをＣＦメモリーカード１００に記録する。
【００７６】
次に、動作モード設定ボタンの操作によりクリーニングモードが設定されている場合のメインＣＰＵ５０の制御動作について説明する。図６は、クリーニングモードでの制御動作を示すフローチャートである。以下、このフローチャートに基づいて説明する。
【００７７】
クリーニングモードにおいては、メインＣＰＵ５０は、撮像ユニット４を第２の位置へせり出した状態になっているか否かを示すフラグとして、フラグＦ＿ＣＬＥを用いて制御を行う。フラグＦ＿ＣＬＥ＝０の状態は、撮像ユニット４を第２の位置へせり出していない状態（撮像ユニット４が第１の位置にある状態）であることを示し、フラグＦ＿ＣＬＥ＝１の状態は、撮像ユニット４を第２の位置へせり出した状態にあることを示す。
【００７８】
撮影レンズ３がカメラボディ２から取り外され、クリーニングモードが選択されると、フラグＦ＿ＣＬＥ＝０とする（ステップＳ００１）。
【００７９】
レリーズボタンが押圧（全押し）されてレリーズスイッチ５６がオンすると（ステップＳ００２）、フラグＦ＿ＣＬＥ＝０であるか否かを判断する（ステップＳ００３）。
【００８０】
フラグＦ＿ＣＬＥ＝０である場合には、モータドライバ６０を介してミラーモータ５８を駆動してメインミラー２２およびサブミラー２５を撮影光路外の退避位置へ退避（ミラーアップ）させた後（ステップＳ００４）、撮像ユニット変位手段７を作動して撮像ユニット４を第２の位置へせり出し（ステップＳ００５）、さらに、ＬＥＤ５９を点灯させて、受光面４５を照明する（ステップＳ００６）。この状態では、前述したように、受光面４５の清掃を効率良く効果的に行うことができる。
【００８１】
上述したように、本実施形態では、クリーニングモードが選択されている場合、レリーズボタンが押されるのを待って、撮像ユニット４を第２の位置へ移動させる。これにより、誤操作のおそれが少なく、不本意に撮像ユニット４を第２の位置へ移動させてしまうのを防止することができる。
【００８２】
撮像ユニット４を第２の位置へせり出した状態としたら、レリーズボタンへの押圧が解除されたこと、すなわちレリーズスイッチ５６がオフしたことを検出した後（ステップＳ００７）、フラグＦ＿ＣＬＥ＝１として（ステップＳ００８）、ステップＳ００２に戻り、再びレリーズスイッチ５６の状態を監視する。
【００８３】
再度レリーズボタンが押されてレリーズスイッチ５６がオンすると（ステップＳ００２）、フラグＦ＿ＣＬＥ＝０であるか否かを判断し（ステップＳ００３）、フラグＦ＿ＣＬＥ＝０でなくフラグＦ＿ＣＬＥ＝１であった場合、つまり撮像ユニット４を第２の位置へせり出した状態であった場合には、撮像ユニット変位手段７を作動して撮像ユニット４を第１の位置へ復帰させた後（ステップＳ００９）、モータドライバ６０を介してミラーモータ５８を駆動してメインミラー２２およびサブミラー２５を観察状態の位置（反射位置）へ移動（ミラーダウン）させるとともに（ステップＳ０１０）、ＬＥＤ５９を消灯する（ステップＳ０１１）。
【００８４】
このように、本実施形態では、撮像ユニット４を第２の位置へせり出した状態とした後、レリーズボタンが再度押圧されるのを検出して、撮像ユニット４を第１の位置へ復帰させる。これにより、レリーズボタンを押し続けることなく撮像ユニット４を第２の位置へせり出した状態を維持して受光面４５の観察、清掃を行うことができるとともに、簡単な操作で撮像ユニット４を第１の位置へ復帰させて元の状態に戻ることができる。
【００８５】
撮像ユニット４を第１の位置へ復帰させたら、フラグＦ＿ＣＬＥ＝０として（ステップＳ０１２）、ステップＳ００２に戻り、またレリーズスイッチ５６の状態を監視する。
【００８６】
レリーズスイッチ５６がオンしない場合には、モードスイッチ５７の状態を監視して、クリーニングモードが選択されているかどうかを判断する（ステップＳ０１３）。そして、依然としてクリーニングモードが選択されている場合には、ステップＳ００２に戻り、クリーニングモードが選択されていない場合（撮影モードが選択された場合）には、クリーニングモードを解除して撮影モードに復帰する。
【００８７】
図７は、本発明の他の実施形態におけるクリーニングモードでの制御動作を示すフローチャートである。以下、このフローチャートに基づいて、本発明の他の実施形態におけるクリーニングモードでの制御動作について説明するが、前述した実施形態との相違点を中心に説明し、同様の事項はその説明を省略する。
【００８８】
前述した実施形態においては、２回目のレリーズスイッチ５６のオンにより撮像ユニット４を第２の位置から第１の位置へ復帰させて元の状態に戻るよう構成されていたが、本実施形態では、撮影レンズ３がカメラボディ２に装着されたのを検出した場合に、撮像ユニット４を第２の位置から第１の位置へ復帰させるとともに、クリーニングモードをも解除する。以下、より詳しく説明する。
【００８９】
撮影レンズ３がカメラボディ２から取り外され、クリーニングモードが選択されると、フラグＦ＿ＣＬＥ＝０とする（ステップＳ１０１）。
【００９０】
前述した実施形態と同様に、レリーズスイッチ５６のオンを待って（ステップＳ１０２）、ミラーアップ（ステップＳ１０３）、撮像ユニット４の第２の位置への移動（ステップＳ１０４）、およびＬＥＤ５９の点灯（ステップＳ１０５）を行い、受光面４５を清掃可能な状態とする。そして、フラグＦ＿ＣＬＥ＝１とし（ステップＳ１０６）、ステップＳ１０２に戻る。
【００９１】
そして、レンズ通信を行い（ステップＳ１０７）、撮影レンズ３の装着を検出したか否かを判断する（ステップＳ１０８）。撮影レンズ３の装着が検出された場合には、フラグＦ＿ＣＬＥ＝１であるか否か、すなわち、撮像ユニット４を第２の位置へせり出した状態であるか否かを判断し（ステップＳ１０９）、フラグＦ＿ＣＬＥ＝１（撮像ユニット４を第２の位置へせり出した状態）である場合には、撮像ユニット４を第１の位置へ復帰させた後（ステップＳ１１０）、ミラーダウン（ステップＳ１１１）、ＬＥＤ５９の消灯（ステップＳ１１２）を行って、元の状態に戻す。そして、フラグＦ＿ＣＬＥ＝０とし（ステップＳ１１３）、クリーニングモードを解除して撮影モードに復帰する。なお、ステップＳ１０９でフラグＦ＿ＣＬＥ＝０であった場合、すなわち、撮像ユニット４が第１の位置にある場合には、そのままクリーニングモードを解除して撮影モードに復帰する。
【００９２】
また、ステップＳ１０８で撮影レンズ３の装着が検出されない場合には、クリーニングモードが選択されているかどうかを判断し（ステップＳ１０２）、依然としてクリーニングモードが選択されている場合には、ステップＳ１０２に戻り、クリーニングモードが選択されていない場合（撮影モードが選択された場合）には、クリーニングモードを解除して撮影モードに復帰する。
【００９３】
このように、本実施形態では、撮影レンズ３の装着を検出したとき、撮像ユニット４を第２の位置から第１の位置へ復帰させるとともに、クリーニングモードを解除し、撮影モードへの復帰動作を行うので、受光面４５の清掃中に不用意にミラーダウンして、メインミラー２２を破損するようなことをより確実に防止することができる。さらには、撮影レンズ３を装着すると自動的に撮影モードに切り替わるので、清掃後に迅速に撮影動作に移ることができ使い勝手が良いとともに、クリーニングモードのまま撮影しようとするような誤操作をより確実に防止できる。
【００９４】
なお、本発明では、撮影レンズ３がカメラボディ２に装着されているときは、クリーニングモードか否かにかかわらず、撮像ユニット４が第２の位置に来ないように制御されるのが好ましい。これにより、誤操作による故障などをより確実に防止することができる。
【００９５】
以上、本発明の電子カメラを図示の実施形態について説明したが、本発明は、これに限定されるものではなく、電子カメラを構成する各部は、同様の機能を発揮し得る任意の構成のものと置換することができる。また、任意の構成物が付加されていてもよい。
【００９６】
例えば、撮像ユニットの設置個所は、その受光面が撮影レンズの光軸に対し垂直になるような個所に限らず、例えば、カメラボディ内の上方、下方または側方であってもよく、撮像ユニット変位手段は、このように設置された撮像ユニットを第１の位置から第２の位置へ回動させるように作動するものでもよい。また、この場合、撮影レンズからの光束を撮像ユニットへ向けて反射するミラーを設け、撮像ユニット４を第２の位置へ変位させるのに先立って該ミラーを撮影レンズからの光束の光路から退避させるようにしてもよい。
【００９７】
また、本発明は、レンズ交換式一眼レフ電子カメラに限らず、例えば、撮影レンズからの光束を反射し得るミラーを有さずに、撮影光学系とは独立したファインダ光学系を有するレンジファインダ式のレンズ交換式電子カメラのようなものにも適用することができる。
【００９８】
また、本発明の電子カメラでは、クリーニングモードでの制御動作は、前記の２つの実施形態を組み合わせたようなものであってもよい。また、クリーニングモードにすると直ちに撮像ユニットが第２の位置へ変位するように制御するものであってもよい。
【００９９】
【発明の効果】
以上述べたように、本発明によれば、撮像ユニットの受光面の清掃時、撮像ユニットをカメラボディの開口部に近づくように変位させることにより、容易に清掃作業を行うことができる。また、受光面に付着したゴミも見易くなるので、清掃すべきゴミの付着個所を発見し易く、また、ゴミが除去できたかどうかも確認し易い。このようなことから、受光面の清掃作業を効率良く迅速に、かつ、ゴミを残存させることなく効果的に行うことができる。
【０１００】
また、クリーニングモードに設定されているときにレリーズボタンが押されるのを待って撮像ユニットを第２の位置へ変位させることとした場合や、撮像ユニットが第２の位置へ変位した状態をレリーズボタンが押されるのを待って解除することとした場合や、クリーニングモードに設定されているときに撮影レンズが装着されたのを検出したらクリーニングモードを解除することとした場合には、使い勝手を向上することができ、誤操作の防止も図れる。
【０１０１】
また、第２の位置にある撮像ユニットの受光面を照明する照明手段を設けた場合には、受光面に付着したゴミをより見易くすることができる。
【図面の簡単な説明】
【図１】本発明の電子カメラの実施形態における内部構成を示す断面側面図（観察状態）である。
【図２】本発明の電子カメラの実施形態における内部構成を示す断面側面図（撮像ユニットを第２の位置へせり出した状態）である。
【図３】本発明の電子カメラの実施形態における撮像ユニットおよび撮像ユニット変位手段を示す平面図である。
【図４】本発明の電子カメラの実施形態における撮像ユニットおよび撮像ユニット変位手段を示す正面図である。
【図５】本発明の電子カメラの実施形態における内部構成を示すブロック図である。
【図６】本発明の電子カメラの実施形態におけるクリーニングモードでの制御動作を示すフローチャートである。
【図７】本発明の電子カメラの他の実施形態におけるクリーニングモードでの制御動作を示すフローチャートである。
【符号の説明】
１　　　　　　電子カメラ
２　　　　　　カメラボディ
２１　　　　　開口部
２２　　　　　メインミラー
２２１　　　　回転軸
２３　　　　　撮像ユニット支持部
２３１　　　　係合部
２３２　　　　凹部
２４　　　　　マウント部
２５　　　　　サブミラー
２６　　　　　焦点板
２７　　　　　ペンタプリズム
２８　　　　　アイピースレンズ
２９　　　　　ガイドシャフト
３　　　　　　撮影レンズ
３１　　　　　レンズＣＰＵ
３２　　　　　フォーカシングレンズ
４　　　　　　撮像ユニット
４１　　　　　ＣＣＤ
４２　　　　　ケーシング
４３　　　　　赤外カットフィルター
４４　　　　　ローパスフィルター
４５　　　　　受光面
５０　　　　　メインＣＰＵ
５１　　　　　ＡＦセンサ
５２　　　　　測光センサ
５４　　　　　ＤＳＰ
５５　　　　　測光スイッチ
５６　　　　　レリーズスイッチ
５７　　　　　モードスイッチ
５８　　　　　ミラーモータ
５９　　　　　ＬＥＤ
６０　　　　　モータドライバ
７　　　　　　撮像ユニット変位手段
７１　　　　　送りねじ軸
７２　　　　　ＡＦモータ
７３　　　　　ピニオンギア
７４　　　　　従動ギア
７５　　　　　移動体
７５１　　　　挿通孔
１００　　　　ＣＦメモリーカード
Ｓ００１〜Ｓ０１３、Ｓ１０１〜Ｓ１１４　ステップ
Ａｘ　　　　　光軸
【図１】
2004040652.tif 000003
【図２】
2004040652.tif 000004
【図３】
2004040652.tif 000005
【図４】
2004040652.tif 000006
【図５】
2004040652.tif 000007
【図６】
2004040652.tif 000008
【図７】
2004040652.tif 000009